(57)【要約】【課題】本発明は、例えば粒サイズが大小に異なる穀粒の水分を、その粒サイズの相違に応じて並設した２組の一対ずつの電極ロールにて個別に圧砕し再現性良く、かつ、確実に測定することが可能な単粒類水分計を提供する。【解決手段】本発明の単粒類水分計は、穀類の単粒類Ｍの通過穴７を具備する第１の支持基板６と、この第１の支持基板６と対向配置された第２の支持基板８と、第１の支持基板６の外面側に配置され、単粒類Ｍを通過穴７から第２の支持基板８側に送り込む単粒類送り込み系１１と、間に圧砕領域を有する一対ずつ２組並設の電極ロール２２、２２及び電極ロール２３、２３を具備し、これらの周面形状、直径、間隔を単粒類Ｍのサイズの大小に対応するように異ならせて構成した電極ロール対並設部２１と、通過穴７からの単粒類Ｍをそのサイズの大小に応じて前記電極ロール２２、２２の圧砕領域又は前記電極ロール２３、２３の圧砕領域に切り替え誘導する搬入経路切替え部３１と、を有するものである。【選択図】図１
2018036077.tif 000002
【特許請求の範囲】
【請求項１】
穀類の単粒類の通過穴を具備する第１の支持基板と、
この第１の支持基板と対向配置された第２の支持基板と、
前記第１の支持基板、第２の支持基板により軸支されるとともに第１の支持基板の外面側に配置され、回転駆動されて穀類の単粒類を第１の支持基板に設けた通過穴から第２の支持基板側に送り込むスクリュー式の単粒類送り込み系と、
前記第１の支持基板と第２の支持基板との間に配置されるとともに、間に圧砕領域を有する一対の電極ロールを一組とし、一対の電極ロールを複数組並設し、かつ、各組の電極ロールの周面形状、直径、間隔を単粒類のサイズの大小に対応するように異ならせて構成し、前記通過穴を経て移送されてくる単粒類をそのサイズの大小に対応する組の一対の電極ロール間の圧砕領域で圧砕し、各組毎に圧砕単粒類の特性に応じた測定信号を出力可能とした電極ロール対並設部と、
前記通過穴からの穀類の単粒類をそのサイズの大小に応じて対応する組の一対の電極ロール間の圧砕領域に切り替え誘導する搬入経路切替え部と、
を有することを特徴とする単粒類水分計。
【請求項２】
穀類の単粒類の通過穴を具備する第１の支持基板と、
この第１の支持基板と対向配置された第２の支持基板と、
前記第１の支持基板、第２の支持基板により軸支されるとともに第１の支持基板の外面側に配置され、回転駆動されて穀類の単粒類を第１の支持基板に設けた通過穴から第２の支持基板側に送り込むスクリュー式の単粒送り込み系と、
前記第１の支持基板と第２の支持基板との間に配置されるとともに、間に圧砕領域を有する一対の電極ロールを一組とし、一対の電極ロールを複数組並設し、かつ、各組の電極ロールの周面形状、直径、間隔を単粒類のサイズの大小に対応するように異ならせて構成し、前記通過穴を経て移送されてくる単粒類をそのサイズの大小に対応する組の一対の電極ロール間の圧砕領域で圧砕し、各組毎に圧砕単粒類の特性に応じた測定信号を出力可能とした電極ロール対並設部と、
前記通過穴からの穀類の単粒類をそのサイズの大小に応じて対応する組の一対の電極ロール間の圧砕領域に切り替え誘導する搬入経路切替え部と、
前記複数組の電極ロール及び前記単粒送り込み系を回転駆動する回転駆動部と、
前記いずれかの組の一対の電極ロールから出力される圧砕単粒類の特性に応じた測定信号を基に前記単粒類の水分値、平均水分値、偏差、測定粒数、度数分布等の特性を求める単粒特性測定部と、
前記電極ロール対並設部の下方に落下する圧砕単粒類を搬出する圧砕片搬出系と、
を有することを特徴とする単粒類水分計。
【請求項３】
穀類の単粒類の通過穴を具備する第１の支持基板と、
この第１の支持基板と対向配置された第２の支持基板と、
前記第１の支持基板、第２の支持基板により軸支されるとともに第１の支持基板の外面側に配置され、回転駆動されて穀類の単粒類を単粒毎に第１の支持基板に設けた通過穴から第２の支持基板側に送り込むスクリュー式の単粒送り込み系と、
前記第１の支持基板と第２の支持基板との間に配置されるとともに、間に圧砕領域を有する一対の電極ロールを一組とし、一対の電極ロールを２組並設し、かつ、各組の電極ロールの周面形状、直径、間隔を単粒類のサイズの大小に対応するように大小に異ならせて構成し、前記通過穴を経て移送されてくる単粒類をそのサイズの大小に対応して電極ロールの周面形状が大の組の一対の電極ロール間、又は、電極ロールの周面形状が小の組の一対の電極ロール間の圧砕領域で圧砕し、各組毎に圧砕単粒類の特性に応じた測定信号を出力可能とした電極ロール対並設部と、
前記通過穴からの穀類の単粒類をそのサイズの大小に応じて対応する組の一対の電極ロール間の圧砕領域に切り替え誘導する搬入経路切替え部と、
前記２組の電極ロール及び前記単粒送り込み系を回転駆動する回転駆動部と、
前記いずれかの組の一対の電極ロールから出力される圧砕単粒類の特性に応じた測定信号を基に前記単粒類の水分値、平均水分値、偏差、測定粒数、度数分布等の特性を求める単粒特性測定部と、
前記電極ロール対並設部の下方に落下する圧砕単粒類を搬出する圧砕片搬出系と、
を有することを特徴とする単粒類水分計。
【請求項４】
前記電極ロールは、突起付きローレット状、平目ローレット状、斜目ローレット状、綾目ローレット状等から選定され、穀類の単粒類のサイズの相違に応じて電極ロール自体の大きさ、溝や突起の寸法、一対の電極ロール間の間隔を選定可能に構成していることを特徴とする請求項１乃至３のいずれか１項に記載の単粒類水分計。
【請求項５】
前記搬入経路切替え部は、前記通過穴からの穀類の単粒類をそのサイズの大小に応じて対応する組の一対の電極ロール間の圧砕領域に手動操作にて、又はスイッチ操作にて切り替える構成としたことを請求項１乃至４のいずれか１項に記載の単粒類水分計。
【請求項６】
前記穀類の単粒類は、精米、玄米、もみ、大麦、小麦、裸麦、大豆粒、コーン粒等のうちのいずれかの単粒から選定されることを特徴とする請求項１乃至５のいずれか１項に記載の単粒類水分計。
【請求項７】
前記穀類の単粒類は、精米、玄米、もみ、大麦、小麦、裸麦、大豆粒、コーン粒等のうちのいずれかの粉状物から選定されることを特徴とする請求項１乃至５のいずれか１項に記載の単粒類水分計。
【発明の詳細な説明】
【技術分野】
【０００１】
本発明は、単粒類水分計に関するものであり、詳しくは、例えば粒サイズが大小に異なる穀粒の水分を、その粒サイズの相違に応じて並設した２組の一対ずつの電極ロールにて個別に圧砕し再現性良く、かつ、確実に測定することが可能な単粒類水分計に関するものである。
【背景技術】
【０００２】
単粒水分計は、回転する一対の電極ロール間に穀粒を一粒ずつ送り込み、圧砕しながら電極間に挟まれた穀粒の電気抵抗を測定し、予め求めておいた電気抵抗と水分値の関係から、一粒ごとの水分値、平均水分値、偏差、測定粒数、度数分布等を計測し、表示させる水分計である。
【０００３】
単粒水分計の電極ロールは、周全体にＶ字状の溝又は突起が一定間隔で形成されているが、測定対象によって溝の深さ又は突起の大きさ、その間隔、溝や突起の形状（平目ローレット状、斜目ローレット状、綾目ローレット状など）等を異ならせる必要があり、このため、様々な形状のものが使用されている。更に、一対の電極ロール間の隙間も、測定対象によって異なるものである。
【０００４】
単粒水分計の測定対象物は、精米、玄米もみ、大麦、小麦、裸麦、大豆、コーン等と、多様であるが、通常、単粒水分計の電極ロールは一対のみである事から、１台の単粒水分計で測定できる対象物は、穀粒のサイズが似通ったものに限定されることになる。
【０００５】
例えば比較的小粒の小麦や大麦等には、細かいローレット目の形状で、電極ロールの間隔が狭いものが適しているが、これを比較的大粒の大豆やコーンで使用すると、大豆やコーンはローレット表面で滑り、電極ロールの間を通過しないため、圧砕できず、水分も測定できない。
【０００６】
更に、測定対象物の電気抵抗を再現性良く測定できる方が水分計の精度は高まることになるが、再現性良く測定するのに適した電極ロールの間隔は、測定対象によって異なる。
【０００７】
特許文献１には、周面同士を所定の間隔でもってその間に穀粒圧砕領域を形成するように対向配置した一対の導電材からなる電極ロールを備え、前記穀粒圧砕領域に供給される単粒毎の穀粒を前記一対の電極ロールの回転により挟持圧砕して圧砕片の水分による電気抵抗に応じた電気信号を前記一対の電極ロールから取り出し可能とした穀類の単粒水分測定用の電極ロール構造であって、前記一対の電極ロールは、各々周面に回転方向と平行に複数条の溝ピッチの細かい回転方向Ｖ字状溝を連続形成するとともに、各々周面に回転軸と平行な方向に複数条の回転軸方向Ｖ字状溝を連続形成して、一対の電極ロールの各周面全体に、前記各回転方向Ｖ字状溝、各回転軸方向Ｖ字状溝により画される多数の山形状部を列設した形状とし、前記一対の電極ロールのうちの少なくとも一方の電極ロールにおける複数条の回転軸方向Ｖ字状溝の溝ピッチが回転方向Ｖ字状溝の溝ピッチより大きい形状とするとともに、この一方の電極ロールにおける多数の山形状部が、回転軸方向から見て頂点が回転方向先方に向かって突出するラチェット形状とし、前記穀粒圧砕領域を挟んで対向する一方の電極ロールと、他方の電極ロールとを、前記穀粒圧砕領域の位置で各々の山形状部の先端が各々の回転方向Ｖ字状溝内に交互に臨む配置とした構成からなる穀類の単粒水分測定用の電極ロール構造が開示されている。
【０００８】
特許文献１の単粒水分測定用の電極ロール構造の場合、一対の電極ロールのみを備え、穀粒圧砕領域に供給される単粒毎の穀粒を前記一対の電極ロールの回転により挟持圧砕する構成であることから、粒径が大小に異なる複数種の穀粒を挟持圧砕することは一応可能であるものの、その圧砕可能範囲は狭く、比較的小粒の小麦や大麦等の圧砕と、比較的大粒の大豆やコーン等の圧砕との双方に的確に対応して各々場合に正確な水分測定を行うことは困難であった。
【先行技術文献】
【特許文献】
【０００９】
【特許文献１】特開２０１５−４９０８２号公報
【発明の概要】
【発明が解決しようとする課題】
【００１０】
上述したように従来においては、１台の単粒水分計で粒のサイズが大きく異なる穀粒を再現性良く測定することは困難であった。
【００１１】
本発明は、上記従来の事情に鑑みて開発されたものであり、例えば粒サイズが大きく異なる複数種の穀粒の水分を、その粒サイズの相違に応じて並設した複数段の電極ロールにて個別に圧砕し再現性良く、かつ、確実に測定することが可能な単粒類水分計を提供するものである。
【課題を解決するための手段】
【００１２】
本発明に係る単粒類水分計は、穀類の単粒類の通過穴を具備する第１の支持基板と、この第１の支持基板と対向配置された第２の支持基板と、前記第１の支持基板、第２の支持基板により軸支されるとともに第１の支持基板の外面側に配置され、回転駆動されて穀類の単粒類を第１の支持基板に設けた通過穴から第２の支持基板側に送り込むスクリュー式の単粒類送り込み系と、前記第１の支持基板と第２の支持基板との間に配置されるとともに、間に圧砕領域を有する一対の電極ロールを一組とし、一対の電極ロールを複数組並設し、かつ、各組の電極ロールの周面形状、直径、間隔を単粒類のサイズの大小に対応するように異ならせて構成し、前記通過穴を経て移送されてくる単粒類をそのサイズの大小に対応する組の一対の電極ロール間の圧砕領域で圧砕し、各組毎に圧砕単粒類の特性に応じた測定信号を出力可能とした電極ロール対並設部と、前記通過穴からの穀類の単粒類をそのサイズの大小に応じて対応する組の一対の電極ロール間の圧砕領域に切り替え誘導する搬入経路切替え部と、を有することを最も主要な特徴とする。
【発明の効果】
【００１３】
請求項１記載の発明によれば、スクリュー式の単粒類送り込み系により通過穴から第２の支持基板側に送り込む単粒類をそのサイズの大小に応じて搬入経路切替え部によって電極ロール対並設部に設けた複数組のうちの対応する組の一対の電極ロール間の圧砕領域に切り替え誘導し、一対の電極ロール間の圧砕領域で圧砕して、各組毎に圧砕単粒類の特性に応じた水分測定に供することができる単粒類水分計を実現し提供することができる。
【００１４】
請求項２記載の発明によれば、スクリュー式の単粒類送り込み系により通過穴から第２の支持基板側に送り込む単粒類をそのサイズの大小に応じて搬入経路切替え部によって電極ロール対並設部に設けた複数組のうちの対応する組の一対の電極ロール間の圧砕領域に切り替え誘導し、一対の電極ロール間の圧砕領域で圧砕して、一対の電極ロールから出力される測定信号を基に前記単粒類の水分値、平均水分値、偏差、測定粒数、度数分布等の特性を求めることができる単粒類水分計を実現し提供することができる。
【００１５】
請求項３記載の発明によれば、スクリュー式の単粒類送り込み系により通過穴から第２の支持基板側に送り込む単粒類をそのサイズの大小に応じて搬入経路切替え部によって電極ロール対並設部に設けた２組のうちの対応する一方の組の一対の電極ロール間の圧砕領域に切り替え誘導し、一対の電極ロール間の圧砕領域で圧砕して、前記一対の電極ロールから出力される測定信号を基に前記単粒類の水分値、平均水分値、偏差、測定粒数、度数分布等の特性を求めることができる単粒類水分計を実現し提供することができる。
【００１６】
請求項４記載の発明によれば、請求項１乃至３のいずれかに記載の発明において、前記電極ロールを、突起付きローレット状、平目ローレット状、斜目ローレット状、綾目ローレット状等から選定され、穀類の単粒類のサイズの相違に応じて電極ロール自体の大きさ、溝や突起の寸法、一対の電極ロール間の間隔を選定可能に構成しているので、単粒類のサイズの大小や硬さ等に応じた電極ロールの種類、配列態様の選択範囲が広く、単粒類の水分測定の正確性、再現性を期することができる単粒類水分計を実現し提供することができる。
【００１７】
請求項５記載の発明によれば、請求項１乃至４のいずれかに記載の発明において、前記搬入経路切替え部を、前記通過穴からの穀類の単粒類をそのサイズの大小に応じて対応する組の一対の電極ロール間の圧砕領域に手動操作にて、又は、スイッチ操作にて切り替える構成としているので、送り込まれてくる単粒類のサイズの大小に応じた対応する組の一対の電極ロール間の圧砕領域への誘導を簡略操作にて確実に実行することができる単粒類水分計を実現し提供することができる。
【００１８】
請求項６記載の発明によれば、請求項１乃至５のいずれかに記載の発明において、前記穀類の単粒類を、精米、玄米、もみ、大麦、小麦、裸麦、大豆粒、コーン粒等のうちのいずれかの単粒から選定される構成としているので、水分測定対象物である穀類の単粒の範囲が広範な単粒類水分計を実現し提供することができる。
【００１９】
請求項７記載の発明によれば、請求項１乃至５のいずれかに記載の発明において、前記穀類の単粒類を、精米、玄米、もみ、大麦、小麦、裸麦、大豆粒、コーン粒等のうちのいずれかの粉状物から選定される構成としているので、水分測定対象物の範囲をより拡張できる単粒類水分計を実現し提供することができる。
【図面の簡単な説明】
【００２０】
【図１】図１は本発明の実施例に係る単粒類水分計の全体構成を示す概略断面図である。
【図２】図２は本実施例に係る単粒類水分計における第１組の電極ロール、第２組の電極ロールの並設構造を示す概略拡大図である。
【図３】図３は本実施例に係る単粒類水分計全体の制御系を示すブロック図である。
【図４】図４は本実施例に係る単粒類水分計における搬入経路切替え部材、操作摘みを第１の支持基板側にスライドさせた状態を示す概略断面図である。
【発明を実施するための形態】
【００２１】
本発明は、粒サイズが大きく異なる複数種の穀粒の水分を、その粒サイズの相違に応じて並設した複数段の電極ロールにて個別に圧砕し再現性良く、かつ、確実に測定することが可能な単粒類水分計を提供するという目的を、穀類の単粒類の通過穴を具備する第１の支持基板と、この第１の支持基板と対向配置された第２の支持基板と、前記第１の支持基板、第２の支持基板により軸支されるとともに第１の支持基板の外面側に配置され、回転駆動されて穀類の単粒類を第１の支持基板に設けた通過穴から第２の支持基板側に送り込むスクリュー式の単粒送り込み系と、前記第１の支持基板と第２の支持基板との間に配置されるとともに、間に圧砕領域を有する一対の電極ロールを一組とし、一対の電極ロールを複数組並設し、かつ、各組の電極ロールの周面形状、直径、間隔を単粒類のサイズの大小に対応するように異ならせて構成し、前記通過穴を経て移送されてくる単粒類をそのサイズの大小に対応する組の一対の電極ロール間の圧砕領域で圧砕し、各組毎に圧砕単粒類の特性に応じた測定信号を出力可能とした電極ロール対並設部と、前記通過穴からの穀類の単粒類をそのサイズの大小に応じて対応する組の一対の電極ロール間の圧砕領域に切り替え誘導する搬入経路切替え部と、前記複数組の電極ロール及び前記単粒送り込み系を回転駆動する回転駆動部と、前記いずれかの組の一対の電極ロールから出力される圧砕単粒類の特性に応じた測定信号を基に前記単粒類の水分値、平均水分値、偏差、測定粒数、度数分布等の特性を求める単粒特性測定部と、前記電極ロール対並設部の下方に落下する圧砕単粒類を搬出する圧砕片搬出系と、を有する構成により実現した。
【実施例】
【００２２】
以下、図面を参照して、本発明の実施例に係る単粒類水分計について詳細に説明する。
【００２３】
本実施例に係る単粒類水分計１は、図１に示すように、その全体が直方体箱型状の本体２から形成されている。
【００２４】
前記本体２の前面には、穀類の単粒類Ｍを移送するスクリュー式の単粒類送り込み系１１を設け、また、前記本体２の下部側には、詳細は後述する圧砕片搬出系５１を設けている。
【００２５】
また、本実施例に係る単粒類水分計１は、前記本体２の前面において、前記単粒類送り込み系１１の近くに位置するとともに穀類の単粒類Ｍを通過させる通過穴７を具備する第１の支持基板６と、第１の支持基板６と所定間隔隔てた位置に平行に対向配置とし、かつ、本体２の背面板２ａとの間に空間領域９を形成する第２の支持基板８とを起立配置している。
【００２６】
前記単粒類送り込み系１１は、回転駆動されることで穀類の単粒類Ｍを第１の支持基板６に設けた通過穴７から第２の支持基板８側に送り込む一対のスクリュー１２（図１には一方のスクリュー１２のみ示す）を並列配置して構成し、そのスクリュー軸１２ａを、前記第１の支持基板６、第２の支持基板８に添設した第２スペーサ１０ｂを貫通し、更に第２の支持基板８により軸支されつつ貫通して前記空間領域９内に突出させている。
【００２７】
更に、本実施例に係る単粒類水分計１における前記本体２には、前記第１の支持基板６と第２の支持基板８との間の領域で、第１の支持基板６に添設した第１スペーサ１０ａ側に配置する第１組の電極ロール２２、２２と、同じく一対構成で第２の支持基板８に添設した第２スペーサ１０ｂ側に配置する第２組の電極ロール２３、２３との２組を有する電極ロール対並設部２１を有している。
【００２８】
前記電極ロール対並設部２１は、図２に拡大して示すように、各組一つずつの電極ロール２２、電極ロール２３が各々ロール軸２４、２４により支持され、かつ、同軸密接状態となるように並設配置するとともに、前記第１組の電極ロール２２、２２の周面形状と、第２組の電極ロール２３、２３の周面形状とを単粒類Ｍのサイズの大小に対応するように大小に異ならせて構成している。
【００２９】
本実施例においては、第１組の電極ロール２２、２２は、その周面に四角錐状の小突起を軸方向に所定の幅をもって全周にわたって連続的に、かつ、これを周方向に４列並べて形成し、小突起の頂点が軸方向に一列に並ぶ形状として、一対の電極ロール２２、２２を、間隔ａをもって並設し、一対の電極ロール２２、２２間に比較的サイズが大きい単粒類Ｍ（大豆、コーン等）を圧砕する圧砕領域を形成し、圧砕単粒類Ｍ１の特性に応じた測定信号を出力するように構成している。
【００３０】
また、第２組の電極ロール２３、２３は、前記第１組の電極ロール２２、２２よりも直径を大きく設定するとともに、その周面に斜め形状の凹凸部を全周にわたって連続形成した斜目ローレット状とし、一対の電極ロール２３、２３を、間隔ｂ（間隔ｂ＜間隔ａ）をもって並設し、一対の電極ロール２３、２３間に比較的サイズが小さい単粒類Ｍ（精米、玄米、もみ、大麦、小麦、裸麦等）を圧砕する圧砕領域を形成し、圧砕単粒類Ｍ１の特性に応じた測定信号を出力するように構成している。
【００３１】
前記ロール軸２４，２４は、各々第１の支持基板６に添設されるとともに上面に第２の支持基板８側に至るほど下降する傾斜面１０ｃを設けた第１スペーサ１０ａにより一端側が軸支されて、各組一つずつの電極ロール２２、電極ロール２３を支持し、第２スペーサ１０ｂを貫通し、第２の支持基板８により軸支されつつ貫通して他端側を前記空間領域９内に突出させている。
【００３２】
本実施例に係る単粒類水分計１は、更に、前記通過穴７からの穀類の単粒類Ｍをそのサイズの大小に応じて対応する組の、すなわち、第１組の電極ロール２２、２２間の圧砕領域、又は、第２組の電極ロール２３、２３間の圧砕領域のいずれか一方に切り替え誘導する搬入経路切替え部３１と、前記第１組の電極ロール２２、２２、第２組の電極ロール２３、２３及び前記単粒送り込み系１１の一対のスクリュー１２を回転駆動する回転駆動部４１と、前記電極ロール対並設部２１の下方に落下する圧砕単粒類Ｍ１を搬出する圧砕片搬出系５１と、を有している。
【００３３】
前記搬入経路切替え部３１は、図１に示すように、前記第１の支持基板６、第２の支持基板８の間の領域に、前記第２スペーサ１０ｂに対して前記スクリュー軸１２ａが回転可能に貫通する状態としつつ取り付けた角型ブロック３２を具備し、この角型ブロック３２に対して搬入経路切替え部材３６をスライド可能に嵌装し、当該搬入経路切替え部材３６の頂部に操作摘み３７を固着している。
前記搬入経路切替え部材３６は、上部に角型開口部３３を具備し、前記角型開口部３３の前記第１の支持基板６側下部から前記第２スペーサ１０ｂ側に向けて斜め下方に降下する角型樋状の中間連結部３４と、この中間連結部３４の下部に形成した前記第１組の電極ロール２２、２２又は第２組の電極ロール２３、２３の両外側の一部を非接触状態で覆う両開きの下部弧状覆部３５と、を具備している。
【００３４】
前記角型樋状の中間連結部３４は、前記搬入経路切替え部材３６を前記第１の支持基板６側にスライドしたとき、前記角型開口部３３が前記通過穴７側に臨み、樋状部分の下部が前記第２組の電極ロール２３、２３間の圧砕領域に臨み、前記通過穴７からの単粒類Ｍは、前記角型開口部３３から樋状部分を経て前記第２組の電極ロール２３、２３間の圧砕領域に落下するように構成している。
【００３５】
また、前記搬入経路切替え部材３６を前記第２の支持基板８側にスライドしたときには、前記通過穴７からの単粒類Ｍは、前記角型ブロック３２に遮られて前記角型開口部３３を通らず、第１スペーサ１０ａの傾斜面１０ｃと前記樋状部分を形成する樋底板３４ａの背面側（第１の支持基板６側）の空間領域を経て前記第１組の電極ロール２２、２２間の圧砕領域に落下するように構成している。
【００３６】
前記回転駆動部４１は、前記空間領域９内に配置した複数の歯車の組み合わせにより構成され、図示しない駆動モータの回転力により各歯車を回転させ、一対のスクリュー１２、前記第１組の電極ロール２２、２２、前記第２組の電極ロール２３、２３を各々回転駆動するように構成している。
【００３７】
前記圧砕片搬出系５１は、前記電極ロール対並設部２１の下方位置で第２の支持基板８から第１の支持基板６側に至るほど下降する傾斜配置で架設した落下傾斜板５２と、第１の支持基板６に設けた圧砕単粒類通過穴６ａとにより構成している。
【００３８】
次に、本実施例に係る単粒類水分計１の制御系について図３を参照して説明する。
【００３９】
本実施例に係る単粒類水分計１は、この単粒類水分計１の全体の制御を行う制御部６１と、この単粒類水分計１の動作プログラムを格納したプグラムメモリ６２と、図示しない駆動モータを含む回転駆動部４１と、前記ロール軸２４、２４に接続した導線を介して、前記第１組の電極ロール２２、２２、前記第２組の電極ロール２３、２３に所定の電圧を印加するとともに、圧砕単粒類Ｍ１の水分による電気抵抗に応じた電気信号（水分測定信号）を前記各ロール、ロール軸２４、２４、導線を介して取り込み、圧砕単粒類Ｍ１毎の電気抵抗値を求めて単粒類Ｍ毎に水分測定データとして出力する水分測定回路部６３と、スタート、ストップボタン、時刻の表示／設定ボタン、単粒類Ｍの粒種設定ボタン、測定する単粒類Ｍの粒数の設定ボタン、測定結果に基づくヒストグラムの表示設定ボタン、等を備える操作入力部６４と、各種測定結果を表示する液晶ディスプレイ又は蛍光表示管等から構成される表示部６５と、水分測定回路部６３からの単粒類Ｍ毎の水分測定データを粒種、測定時刻に対応付けて順に記憶していく水分測定データ蓄積記憶部６６と、水分測定データ蓄積記憶部に記憶した多数の単粒類Ｍ毎の水分測定データを基に、測定粒数、個別水分値、平均水分値、標準偏差、水分分布（ヒストグラム）等を求める単粒特性測定部である水分測定データ演算処理部６７と、水分測定データ演算処理部の処理結果を記憶する処理結果記憶部６８と、例えばパーソナルコンピュータ６９等に処理結果をデータ送信するためのコンピュータ用インターフェース７０と、水分測定データ演算処理部の処理結果をプリントアウトするためのプリンタ７１に処理結果をデータ送信するためのプリンタ用インターフェース７２と、を有している。
【００４０】
次に、本実施例に係る単粒類水分計１の動作について、サイズの大小に応じて単粒類Ｍの搬入経路を切り替える搬入経路切替え部３１、及び、前記電極ロール対並設部２１における第１組の電極ロール２２、２２、第２組の電極ロール２３、２３の動作を主にし、図４をも参照して説明する。
【００４１】
本実施例に係る単粒類水分計１において、前記一対のスクリュー１２を回転駆動して単粒類Ｍを、前記通過穴７を経て第２の支持基板８側に送り込むとき、当該単粒類Ｍが大豆又はコーン等の比較的サイズの大きいものである場合には、操作者は前記操作摘み３７を図１に示すＣ１方向にスライド操作し、前記搬入経路切替え部材３６を前記第２の支持基板８側にスライドさせる。
【００４２】
これにより、前記通過穴７からの前記単粒類Ｍは、第１スペーサ１０ａの傾斜面１０ｃと前記樋状部分を形成する樋底板３４ａの背面側（第１の支持基板６側）の空間領域を経て前記第１組の電極ロール２２、２２間の圧砕領域に落下する。
【００４３】
そして、前記第１組の電極ロール２２、２２の回転動作でその圧砕領域にて当該単粒類Ｍは圧砕されて、圧砕単粒類Ｍ１となって前記落下傾斜板５２、圧砕単粒類通過穴６ａを経て搬出される。
【００４４】
前記水分測定回路部６３は、当該単粒類Ｍの圧砕に伴って生じた圧砕単粒類Ｍ１毎の電気抵抗値を求めて単粒類Ｍ毎に水分測定データとして出力する。
【００４５】
これにより、前記水分測定データ演算処理部６７により比較的サイズの大きい単粒類Ｍの測定粒数、個別水分値、平均水分値、標準偏差、水分分布、ヒストグラム、等の演算処理が可能となる。
【００４６】
一方、当該単粒類Ｍが精米、玄米、もみ、大麦、小麦、又は、裸麦等の比較的サイズが小さいものである場合には、操作者は前記操作摘み３７を図４に示すＣ２方向にスライド操作し、前記搬入経路切替え部材３６を前記第１の支持基板６側にスライドさせる。
【００４７】
これにより、前記通過穴７からの前記単粒類Ｍは、前記搬入経路切替え部材３６の樋状部分を経て前記第２組の電極ロール２３、２３間の圧砕領域に落下する。
【００４８】
そして、前記第２組の電極ロール２３、２３の回転動作でその圧砕領域にて当該単粒類Ｍは圧砕され、圧砕単粒類Ｍ１となって上述した場合と同様前記落下傾斜板５２、圧砕単粒類通過穴６ａを経て搬出される。
【００４９】
前記水分測定回路部６３は、当該単粒類Ｍの圧砕に伴って生じた圧砕単粒類Ｍ１毎の電気抵抗値を求めて単粒類Ｍ毎に水分測定データとして出力する。
【００５０】
これにより、前記水分測定データ演算処理部６７により比較的サイズの小さい単粒類Ｍの測定粒数、個別水分値、平均水分値、標準偏差、水分分布、ヒストグラム、等の演算処理が可能となる。
【００５１】
本実施例に係る単粒類水分計１によれば、大豆又はコーン等の比較的サイズの大きい単粒類Ｍと、精米、玄米、もみ、大麦、小麦、又は、裸麦等の前記単粒類Ｍとは異なる比較的サイズが小さい単粒類Ｍとを、その粒サイズの相違に応じて並設した前記第１組の電極ロール２２、２２と前記第２組の電極ロール２３、２３とに切り替え搬送して個別に圧砕し、各々の水分を再現性良く、かつ、確実に測定することが可能な単粒類水分計１を提供することができる。
【００５２】
なお、比較的サイズが小さい単粒類Ｍ用の前記第２組の電極ロール２３、２３においては、一対の電極ロール２３、２３の間隔を適切に設定することにより、前記単粒類Ｍの他、米粒、麦粒、大豆粒、コーン粒等の粉状物についてもこれらの水分測定データを得ることが可能である。
【００５３】
本実施例においては、電極ロール対並設部２１を２組並設構造とし、これに応じて搬入経路切替え部３１も２段切り替え構造としているが、これに限らず電極ロール対並設部２１を更に多数組（３組、４組等）の並設構造とし、これに応じて搬入経路切替え部３１も更に多段（３段、４段等）切り替え構造としても実施可能である。
【００５４】
また、前記第１組の電極ロール２２、２２、前記第２組の電極ロール２３、２３の電極ロールサイズ、周面形状、電極ロール間隔（隙間）も上述した実施例に限定されものではない。
【００５５】
例えば、電極ロールの周面形状としては、上述した実施例の他、例えば平目ローレット形状や綾目ローレット形状を採用し、また、これらを組み合わせて実施可能であり、また、電極ロール間隔も前記ロール軸２４、２４を公知の軸間距離調整機構により支持する構造を採用して微調整するように構成することができる。
【００５６】
更に、前記搬入経路切替え部３１については、本実施例では前記操作摘み３７を手動にて切り替え操作する構成としたが、これに限らず、前記操作摘み３７を所定の距離移動させる電動式のアクチュエータと、サイズ大スイッチ、サイズ小スイッチを備えアクチュエータに接続したスイッチ部とを設け、簡略なスイッチ操作にて前記操作摘み３７、搬入経路切替え部材３６をスライドさせる電動式構成とすることもできる。
【産業上の利用可能性】
【００５７】
本発明は、粒状の果実等の上述した穀類の単粒類に限らず、粒状の果実等の水分測定用としても応用可能である。
【符号の説明】
【００５８】
１    単粒類水分計
２    本体
２ａ  背面板
６    第１の支持基板
６ａ  圧砕単粒類通過穴
７    通過穴
８    第２の支持基板
９    空間領域
１０ａ  第１スペーサ
１０ｂ  第２スペーサ
１０ｃ  傾斜面
１１    単粒類送り込み系
１２    スクリュー
１２ａ  スクリュー軸
２１    電極ロール対並設部
２２    電極ロール
２３    電極ロール
２４    ロール軸
３１    搬入経路切替え部
３２    角型ブロック
３３    角型開口部
３４    中間連結部
３５    下部弧状覆部
３６    搬入経路切替え部材
３７    操作摘み
４１    回転駆動部
５１    圧砕片搬出系
５２    落下傾斜板
６１    制御部
６２    プグラムメモリ
６３    水分測定回路部
６４    操作入力部
６５    表示部
６６    水分測定データ蓄積記憶部
６７    水分測定データ演算処理部
６８    処理結果記憶部
６９    パーソナルコンピュータ
７０    コンピュータ用インターフェース
７１    プリンタ
７２    プリンタ用インターフェース
Ｍ    単粒類
Ｍ１  圧砕単粒類
【図１】
2018036077.tif 000003
【図２】
2018036077.tif 000004
【図３】
2018036077.tif 000005
【図４】
2018036077.tif 000006